Podtech/llm-jp-corpus-v4-ja_patent huggingface dataset:
(57)【要約】      （修正有）【課題】ボルト、および、ナットの廻り止めカバーにおいて、ボルト、および、ナットを一度締め付けた状態を維持し、緩めることのできないカバーを提供し、さらに振動、衝撃等にて緩むことの無い廻り止めカバーを提供する。【解決手段】廻り止めカバーは、外形が円錐状にて、内形がボルト、および、ナットの締め付け部の形状を有し、本発明廻り止めカバーの底辺に粘着剤が塗布されている。  ボルト、および、ナットをワークに締め付けた後、廻り止めカバーをボルト、および、ナットの締め付け部に頑固に被せる。廻り止めカバーは外形が円錐形状のため、ボルト、および、ナットの締め付け、緩める道具が使用できない。よって、再度締め付け、緩めることができない。  廻り止めカバーの底辺に粘着剤が塗布されているため、ボルト、および、ナットの締め付けワークに廻り止めカバーが接着され、振動、衝撃等にて、緩むことがない。【選択図】    図２
2005299911.tif 000002
【特許請求の範囲】
【請求項１】
ボルト、および、ナットの廻し止めカバーにおいて、外形が円錐形状にて、内形がボルト、および、ナットの締め付け部の形状を有することを特徴とする、廻し止めカバー。
【請求項２】
上記、廻し止めカバーの底辺に粘着剤を塗布したことを特徴とする、請求項１記載の廻し止めカバー。
【発明の詳細な説明】
【技術分野】
【０００１】  本発明は、ボルト、および、ナットを廻すことをできなくする、廻し止めるカバーである。さらに、振動や衝撃等でボルト、ナットが緩みが生じにくいようにした廻り止め作用を有する、ボルト、および、ナットの廻し止めカバーに関する。
【背景技術】
【０００２】  周知のように、ボルト、および、ナットは、ワークに締め付けること、緩めることが容易にできる形状である。よって、誰もが容易に締め付け、緩めることができる。このことによって、一度締め付けた、ボルト、および、ナットを不必要な締め付け、緩み、不正な取り外しが発生する。【０００３】  ボルト、および、ナットをワークに締め付けた。ボルト、および、ナッが振動、衝撃等で緩みが生じる。
【発明の開示】
【発明が解決しようとする課題】
【０００４】  発明は、ボルト、および、ナットをワークに所定の締め付けが完了すると、再度、締め付け、緩め、取り外しをすることができないことを課題とする。【０００５】  さらに、ワークに一度締め付けた、ボルトおよび、ナットが振動、衝撃等で緩みが生じないようにすることを課題とする。
【課題を解決するための手段】
【０００６】  本発明は、上記の課題を解決するために、ボルト、および、ナットの廻し止めカバーを提供するものである。【０００７】  本発明の廻し止めカバーは、外側の形状は円錐形状で、内側の形状は、ボルト、および、ナットの締め付け部の形状を有する。【０００８】  周知のボルト、および、ナットの締め付け部に、ボルト、および、ナットの締め付け後、本発明の廻し止めカバーを被せる手段である。【０００９】  ボルト、および、ナットの締め付け部に本発明の円錐形状の廻し止めカバーを取り外しの出来ないように頑固に被せる。【００１０】  本発明の廻し止めカバーの底辺に、粘着剤が塗布されているため、ボルト、および、ナットの締め付けワークと廻し止めカバーが粘着剤にて接着される。
【発明の効果】
【００１１】  ボルト、および、ナットの締め付け部は、締め付けること、緩めることが容易にできる形状である。ボルト、および、ナットの締め付け部に、締め付け道具が使用できない本発明の円錐形状の廻し止めカバーを締め付け後に被せる。よって、ボルト、および、ナットの締め付け部が円錐形状のため、締め付け道具を使用して、締め付け、緩めることが出来ない。【００１２】  さらに、本発明の廻し止めカバーの底辺に粘着剤が塗布されているため、塗布面がワークーと接着して、振動、衝撃等では緩むことがない。
【発明を実施するための最良の形態】
【００１３】  以下、本発明の実施例を説明する。
【実施例１】
【００１４】  周知のボルトの締め付け部によって、ワークにボルトを締め付ける。締め付けた後、ボルトの締め付け部外側に、本発明の廻り止めカバーを取り外しのできない頑固さに被せる。【００１５】  本発明の廻り止めカバーは外形状が円錐形状である。よって、緩めるための道具が使用できないため、ボルトを廻すことができない。
【実施例２】
【００１６】  周知のナットの締め付け部によって、ワークにナットを使用して締め付ける。締め付けた後、ナットの外側に、本発明の廻り止めカバーを取り外しのできない頑固さに被せる。【００１７】  本発明の廻り止めカバーは外形状が円錐形状である。よって、緩めるための道具が使用できないため、ナットを廻すことができない。
【実施例３】
【００１８】  本発明の廻り止めカバーの底辺に粘着剤が塗布されているため、塗布面がワークと廻り止めカバーとが接着され、振動、衝撃等では緩むことがない。
【産業上の利用可能性】
【００１９】  本発明は以上説明した実施例から明らかなように、ボルト、および、ナットの締め付け後の廻り止めを防止する、廻り止めカパーである。【００２０】  本発明の、廻り止めカパーは、簡単にボルト、および、ナットの締め付け後、締め付け部に被せるだけで、廻り止め機能がえられる。【００２１】  本発明の、廻り止めカバーの底辺に粘着剤が塗布されているため、塗布面がワークと廻り止めカバーとが接着され、振動、衝撃等では緩むことがない。【００２２】  簡単な構造にて、充分な機能が果たせ手軽に使用できる。また、安価に提供できる特徴がある。
【図面の簡単な説明】
【００２３】
【図１】  本願発明に係る廻り止めカバーの上面平面図である。
【図２】  本願発明に係る廻り止めカバーの横面正面図である。
【図３】  本願発明に係る廻り止めカバーの実施１の説明図である。
【図４】  本願発明に係る廻り止めカバーの実施２の説明図である。
【符号の説明】
１  廻り止めカバー
２  締め付けカバー外形状の円錐形状
３  廻り止めカパー底辺の粘着剤塗布部
４  ボルト、および、ナットの締め付け部形状
５  ボルトの締め付け部
６  ボルトのネジ部
７  ワーク
８  ナット
【図１】
2005299911.tif 000003
【図２】
2005299911.tif 000004
【図３】
2005299911.tif 000005
【図４】
2005299911.tif 000006
(57)【要約】      （修正有）【課題】現在競合の同業者が急激に増え、最も重要なアレンジメントのデザインにおいて、他社と差別化をおこない、ブランドの確立および消費者へオリジナル商品として認識を得る。【解決手段】ブリザードフラワー２、ブリザードリーフ３、花器４からなるブリザードフラワーアレンジメントにおいて、花材の必要な場所にロゴなどの彫り込みを入れたボタン１を付着させる。【選択図】図３
2005157228.tif 000002
【特許請求の範囲】
【請求項１】
プリザーブドフラワー等の水を必要としない花のアレンジメントに、ブランド表示をする為、花材（プリザーブドフラワー、プリザーブドリーフ、花器、その他キャンドル等アレンジに必要な素材全てを含む）にブランド表示機能付ボタン（丸型、ロゴ・英字・数字いずれかの彫り込み入り）を付着させること、に関するものである。
【発明の詳細な説明】
【技術分野】
【０００１】      本発明はブリザーブドフラワー等の水を必要としない花におけるアレンジメントにブランド機能を持たせる為の発明である。
【背景技術】
【０００２】      プリザーブドフラワーアレンジメントにおいてはブランドを確立したものはなかった。
【発明の開示】
【発明が解決しようとする課題】
【０００３】      プリザーブドフラワー等のアレンジメントにおいては生花と違い長期保存ができるので、インテリアとして、またウェディング等において需要が多く、デザイン性が最も重要な点である。しかしながら現在競合の同業者が急激に増え、模造品も多発し、消費者がオリジナル商品を認識することが困難になってきている。本発明はこの課題を解決するためになされたものである。
【課題を解決するための手段】
【０００４】      プリザーブドフラワー等の水を必要としない花のアレンジメントに使用する花材（プリザーブドフラワー、プリザーブドリーフ、花器、その他キャンドル等アレンジに必要な素材全てを含む）を用意する。
プリザーブドフラワーアレンジメント用ブランド表示機能付ボタン（丸型、ロゴ・英字・数字いずれかの彫り込み入り）を用意する。
花器に花材を使用してアレンジする。
アレンジメメントのバランスに合わせ、花材の必要な場所に付着させることによって、ブランドとしてオリジナル商品が認識されるようになった。
【発明の効果】
【０００５】      プリザーブドフラワー等の水を必要としない花のアレンジメントにプリザーブドフラワーアレンジメント用ブランド表示機能付ボタンを付着させることによって、消費者がオリジナル商品と認識することが可能となる。
本発明により、従来困難であった模造品との差別化が明確化する。さらにより高級感のあるアレンジメントに仕上がることからアレンジメントの商品価値が従来よりも高くなり購買層の拡大につながる。
【発明を実施する為の最良の形態】
【０００６】      プリザーブドフラワー等の水を必要としない花のアレンジメントに使用する花材（プリザーブドフラワー、プリザーブドリーフ、花器、その他キャンドル等アレンジに必要な素材全てを含む）を用意する。
プリザーブドフラワーアレンジメント用のブランド表示機能付ボタン（丸型、ロゴ・英字・数字いずれかの彫り込み入り）を用意する。
花器に花材を使用してアレンジする。
アレンジメメントのバランスに合わせ、花材の必要な場所に付着させる。
【実施例】
【０００７】      図１を図３のように付着させる。
【産業上の利用可能性】
【０００８】      本発明はフラワー業界、インテリア業界、飲食業界にて各種産業で利用可能である。
【図面の簡単な説明】
【０００９】
【図１】本発明の平面図である。
【図２】本発明の断面図である。
【図３】本発明をプリザーブドフラワー等の水を必要としない花のアレンジメントに付着させた図である。
【符号の説明】
【００１０】  １  ボタン本体
２  プリザーブドフラワー
３  プリザーブドリーフ
４  花器
【図１】
2005157228.tif 000003
【図２】
2005157228.tif 000004
【図３】
2005157228.tif 000005
(57)【要約】      （修正有）【課題】夕方や夜間時にも有効な広告手段として、運転手およびお客様にも不安を感じさせることなく快適な車内空間を実現させる。【解決手段】タクシー前部座席のヘッドレスト部分にビニルシートを取り付けて、後部座席側に面状の発光体が設置されるようにビニルシート内に面状の発光体を収納し、発光面に広告を設けた。【選択図】図１
2005157238.tif 000002
【特許請求の範囲】
【請求項１】
タクシーの前部座席ヘッドレスト部分の後部座席側に面状の発光体を設け、発光面に着脱可能な広告（シートおよびフィルムなど）を設けた広告表示器。
【発明の詳細な説明】
【技術分野】
【０００１】  本発明は、タクシー車内における照明広告に関する。
【背景技術】
【０００２】  従来のタクシー車内広告は、運転席や助手席などの後部座席側に、会社および商品、各種イベントなどの広告やビラ、チラシが貼られたり、吊り下げられたものがある。また、従来のタクシー車内は、手元を照らす明かりと言えばルームランプしかなく、気軽に点ける訳にはいかないため、夜間時には車内が暗く運転手、お客様ともに不安に思うときがある。
【発明の開示】
【発明が解決しようとする課題】
【０００３】  以上に述べた従来の様な宣伝広告では、昼間はともかく夕方や夜間には車内が暗くなるため、広告が見えづらい、または見えないと言う欠点があった。また、夜間時など車内が暗いために運転手、お客様ともに不安に思うときがあった。【０００４】  本発明は、このような従来の構成が有していた問題を解決しようとするものであり、夕方や夜間時にも有効な広告手段として、運転手およびお客様にも不安を感じさせることなく快適な車内空間を実現させることを目的とするものである。
【課題を解決するための手段】
【０００５】  そして、本発明は上記目的を達成するためにタクシー前部座席のヘッドレスト部分にビニルシートを取り付けて、後部座席側に面状の発光体が設置されるようにビニルシート内に面状の発光体を収納し、発光面に広告を設けたものである。【０００６】  上述べしたように本発明のタクシー車内の照明広告表示器は、夕方や夜間時に有効な広告媒体とする事ができ、車内が明るくなることにより、運転手およびお客様が安心でき、しいてはタクシー強盗などの犯罪の低減に繋がる快適な車内環境を提供できる。
【発明を実施するための最良の形態】
【０００７】  以下、本発明の実施の形態を図１〜図３に基づいて説明する。【０００８】  図においては、１はエレクトロルミネッセンス（ＥＬ）より成る面状の発光体（以下「ＥＬ」という）で、１Ａの支持板に固定されて、２はＥＬより取り出した電源部の取り出し部分で１Ａの支持板に固定されて、３はビニル製などの袋で３Ａのポケットが付いていて広告を収容し、４のヘッドレストの取付金具に８袋に設けた穴（金属などにより補強）を通すことにより固定する。【０００９】  ９はコネクターでシートカバーを取り外す場合に容易に作業を行えるように設置し、１０はＥＬの点滅を制御するスイッチ機能を持ったコントローラである。【００１０】  電源はタクシー搭載のバッテリーなどから１２Ｖの電源をとり、イグニッションに連動させて、エンジンがかかった状態であれば常時点灯とする方法と、ライト点灯時に点灯する方法、タクシー料金メーターなどにＲｙなどを用いて連動させ、実車時の点灯とする方法がある。【００１１】  以下、上記構成の動作を説明する。イグニッション連動の場合は、イグニッションＯＮ時に１０コントローラがＯＮであれば１ＥＬが点灯し、１０コントローラがＯＦＦであれば１ＥＬは点灯しない。ライト連動の場合は、ライトＯＮ時に１０コントローラがＯＮであれば１ＥＬが点灯し、１０コントローラがＯＦＦであれば１ＥＬは点灯しない。タクシー料金メーター連動の場合は、タクシー料金メーター等に連動させて実車時に１０コントローラがＯＮであれば１ＥＬが点灯し、１０コントローラがＯＦＦであれば１ＥＬは点灯しない。
【図面の簡単な説明】
【００１２】
【図１】前部座席を後部座席側から見た外形図
【図２】前部座席を横から見た外形図
【図３】タクシー車内の照明広告表示器の全体的な外形図
【図４】同上のＡ−Ａ線断面図
【符号の説明】
【００１３】  １    ＥＬ
１Ａ  支持板
２    ＥＬ電源取り出し部
３    袋
３Ａ  広告収容部
８    袋を固定するための穴
９    コネクター
１０  コントローラ
【図１】
2005157238.tif 000003
【図２】
2005157238.tif 000004
【図３】
2005157238.tif 000005
【図４】
2005157238.tif 000006
(57)【要約】【課題】  等価試験装置において、リレーなどにより回路が動的に変更されるようなハードウエアを模擬する場合には、リレーの状態に応じて切替えて演算するための式をリレーの数に応じて２のべき乗で用意しなければならず、演算速度を上げるためには大きなキャッシュメモリを有するＣＰＵが必要であるという問題があった。【解決手段】  被試験装置である電力変換回路制御アンプの制御信号出力端に接続され、等価的に電力変換回路主回路部および負荷の動作をする等価試験装置において、前記制御アンプから出力される信号で制御されるリレーなどにより動的に変る回路を、スイッチのオン・オフに応じて１または０の値をとるスイッチ変数を用いて模擬することを特徴とする等価試験装置の演算方法。【選択図】  図１
2005157848.tif 000002
【特許請求の範囲】
【請求項１】
被試験装置である電力変換回路制御アンプの制御信号出力端に接続され、等価的に電力変換回路主回路部および負荷の動作をする等価試験装置において、前記制御アンプから出力される信号で制御されるリレーなどにより動的に変る回路を、スイッチのオン・オフに応じて１または０の値をとるスイッチ変数を用いて模擬することを特徴とする等価試験装置の演算方法。
【発明の詳細な説明】
【技術分野】
【０００１】
本発明は、電力変換回路制御アンプの等価試験装置の演算方法にかかわり、特に電力変換回路制御アンプの制御信号に基づき、電力変換回路およびこれに接続された負荷と等価な動作をするとともに、電力変換回路およびこれに接続された負荷が動作している時と等価な電気信号を電力変換回路制御アンプにフィードバックする、主としてマイコン等の電子演算回路により構成される等価試験装置の演算方法に関する。
【背景技術】
【０００２】
従来の等価試験装置においてリレーなどにより動的に変更される回路を模擬するには、使用する演算式に回路の変更を反映する要素を含まないため、回路が取り得る数だけの演算式を用意し、それらを適宜切替える必要がある。一例として、従来の等価試験装置の演算方法を、充電抵抗をバイパスするためのリレーを伴った図１の回路により説明する。図１において、リレーで充電抵抗をバイパスした場合のオイラー法近似による直流電源側差分方程式を（１）式に示し、充電抵抗をバイパスしない場合の差分方程式を（２）式に示す。等価試験装置は、一定周期（演算周期）毎に（１）式または（２）式を順次計算し、被試験装置である制御アンプに所定のアナログ量を電圧としてフィードバックすることで電力変換回路を模擬する。このとき、充電抵抗をバイパスするためのリレー５のオン・オフに応じて（１）式と（２）式を適宜切替える。
【０００３】
【数１】
2005157848.tif 000003
【０００４】
（１）、（２）式における記号の意味を以下に記す。
ΔＴ：演算周期
ＶＬ：直流電源１の電圧
Ｉｐ：フィルタコンデンサ６から流れだす電流
ＩＬ：直流電源１から流れ出す電流
Ｌｆ：フィルタリアクトル２のインダクタンス
Ｒｆ：フィルタリアクトルの抵抗３の抵抗値
Ｒｇ：充電抵抗４の抵抗値
Ｃｆ：フィルタコンデンサ６の容量
サフィックスｎおよびｎ＋１は離散化した時系列を表し、ｎ＋１はｎを基準としてΔＴ時間後の値とする。（例えば、特許文献１、特許文献２参照。）。
【特許文献１】特開２００１−４６８９
【特許文献２】特開２００２−２５８９３３
【発明の開示】
【発明が解決しようとする課題】
【０００５】
このように、従来の等価試験装置の演算で用いている方法では、リレーなどにより回路が動的に変更されるようなハードウエアを模擬する場合には、リレーの状態に応じて切替えて演算するための式をリレーの数に応じて２のべき乗で用意しなければならず、演算速度を上げるためには大きなキャッシュメモリを有するＣＰＵが必要であるという問題があった。
【課題を解決するための手段】
【０００６】
本発明は、この課題を解決するためのもので、リレーのオン・オフに応じて１または０の値をとるスイッチ変数を用いることにより、リレーの状態に応じて変る回路を一つの式で表すことを可能にするものである。
【発明の効果】
【０００７】
本発明により、リレーなどにより回路が動的に変る回路を等価試験装置で模擬する場合において、各リレーの状態による複雑な条件分岐をなくすことができるとともに、複数の式を用意する必要がなくなるため、プログラムのサイズを小さくすることができ、ひいては小さなキャッシュメモリを有するＣＰＵにより構成することができるので非常に有用である。
【発明を実施するための最良の形態】
【０００８】
使用状態により、回路条件を切り替えて運転する場合の各使用条件ごとに作成した回路方程式表現を、各使用状態を組み込んだ形の一つの回路方程式表現に纏める。
【実施例１】
【０００９】
（３）式は、本発明による等価試験回路の演算方法の１実施例を示すもので、図１に示した回路における差分方程式を記述したものである。以下（３）式について説明する。
【００１０】
【数２】
2005157848.tif 000004
【００１１】
Ｓｗはスイッチ変数であり、充電抵抗Ｒｇとスイッチ変数Ｓｗの積の項を設けることにより、リレー５がオンの場合に０、オフの場合に１の値を代入して、（３）式を逐次解くことにより、図１に示した回路の応答を計算することができる。
【産業上の利用可能性】
【００１２】
使用条件ごとの回路方程式や、複雑な条件分岐を不要とできるので、メモリサイズを小さくでき、間違いの少ない高信頼性のソフト設計ができ、種々の実用面に活用ができる。
【図面の簡単な説明】
【００１３】
【図１】本発明の等価試験装置の演算方法を説明するための図である。
【符号の説明】
【００１４】
１      直流電源
２      フィルタリアクトル
３      フィルタリアクトルの抵抗成分
４      充電抵抗
５      リレー
６      フィルタコンデンサ
【図１】
2005157848.tif 000005
(57)【要約】【課題】本発明は、マウスやタブレットなどの他の情報入力機器を片手で使用しながら、反対の手で英字キーを入力できるキーボードを提供する。【手段】キーボードの英字キー配列の主流であるＱＷＥＲＴＹ配列の左側のＳｈｉｆｔ、Ｑ、Ｗ、Ｅ、Ｒ、Ｔ、Ａ、Ｓ、Ｄ、Ｆ、Ｇ、Ｚ、Ｘ、Ｃ、Ｖ、Ｂキーを従来通りの位置のままにし、残りの英字キーＹ、Ｕ、Ｉ、Ｏ、Ｐ、Ｈ、Ｊ、Ｋ、Ｌ、Ｎ、Ｍキーを片手の指がとどく範囲に配置することで片手入力を可能にしているキーボードである。【選択図】  図４
2005157990.tif 000002
【特許請求の範囲】
【請求項１】
キーボードの英字キー配列の主流であるＱＷＥＲＴＹ配列（図１）の左側のＳｈｉｆｔ、Ｑ、Ｗ、Ｅ、Ｒ、Ｔ、Ａ、Ｓ、Ｄ、Ｆ、Ｇ、Ｚ、Ｘ、Ｃ、Ｖ、Ｂキー（図２）を従来通りの位置のままにし、残りの英字キーＹ、Ｕ、Ｉ、Ｏ、Ｐ、Ｈ、Ｊ、Ｋ、Ｌ、Ｎ、Ｍキーなど（図３）を片手の指がとどく範囲に配置したキーボード。
【発明の詳細な説明】
【発明の詳細な説明】
【産業上の利用分野】
【０００１】  この発明は、コンピュータや情報端末機器などの入力用キーボードに関するものである。
【背景技術】
【０００２】  従来、コンピュータや情報端末機器などに使われるキーボードによる入力は、両手の全指を用いて行われている。【０００３】  上記のようなキーボードは、コンピュータなどに情報を入力するために広く使用されているが、マウスやタブレットなどの他の情報入力機器を併用して利用することが多く、それら複数の情報入力機器を机などに配置する場合、広いスペースを必要とする。【０００４】
【特許文献１】特開平６−１０２９７９
【特許文献２】特開平１０−２５４５９４
【発明が解決しようとする課題】
【０００５】    片手でマウスやタブレットなどキーボード以外の情報入力機器を使用している場合、一度その情報入力機器から手を離し両手でキーボード入力をしなければならない欠点がある。
【０００６】  そして、絵や図形などを描く場合は、マウスやタブレットなどが主な入力方法として使用され、補助的に使用されるキーボードが多くのスペースを取ってしまう欠点がある。
本発明は、これらの欠点を解決するためになされたものである。
【課題を解決するための手段】
【０００７】  キーボードの英字配列の主流であるＱＷＥＲＴＹ配列（図１）の左側のＳｈｉｆｔ、Ｑ、Ｗ、Ｅ、Ｒ、Ｔ、Ａ、Ｓ、Ｄ、Ｆ、Ｇ、Ｚ、Ｘ、Ｃ、Ｖ、Ｂキー（図２）を従来通りの位置のままにしながら、その周りに残りの英字キーであるＹ、Ｕ、Ｉ、Ｏ、Ｐ、Ｈ、Ｊ、Ｋ、Ｌ、Ｎ、Ｍキーなど（図３）を配置することで小型化したキーボードである。
本発明は、以上の構成により片手で英字入力ができるキーボードである。
【発明を実施するための最良の形態】
【０００８】  図４は本発明の実施例である。
キーボード配列の主流であるＱＷＥＲＴＹ配列（図１）の左側のＳｈｉｆｔ、Ｑ、Ｗ、Ｅ、Ｒ、Ｔ、Ａ、Ｓ、Ｄ、Ｆ、Ｇ、Ｚ、Ｘ、Ｃ、Ｖ、Ｂキー（図２）を配置している。【０００９】  その周りに残りの英字キーＹ、Ｕ、Ｉ、Ｏ、Ｐ、Ｈ、Ｊ、Ｋ、Ｌ、Ｎ、Ｍキーなど（図３）を配置する構成になっている。
【発明の効果】
【００１０】  マウスやタブレットなどの他の入力機器から手を離すことなく、その反対の手だけで英字などを入力できる。
【図面の簡単な説明】
【図１】  ＱＷＥＲＴＹ配列
【図２】  ＱＷＥＲＴＹ配列左側のＳｈｉｆｔ、Ｑ、Ｗ、Ｅ、Ｒ、Ｔ、Ａ、Ｓ、Ｄ、Ｆ、Ｇ、Ｚ、Ｘ、Ｃ、Ｖ、Ｂキー
【図３】  残りの英字キーＹ、Ｕ、Ｉ、Ｏ、Ｐ、Ｈ、Ｊ、Ｋ、Ｌ、Ｎ、Ｍキーなど
【図４】  本発明の実施例
【図１】
2005157990.tif 000003
【図２】
2005157990.tif 000004
【図３】
2005157990.tif 000005
【図４】
2005157990.tif 000006
(57)【要約】【課題】この発明をするにあたり、最も大きな問題は作家との著作権の契約である。【解決手段】作家との契約を結ぶ際、その段階において著作権に関して取り決めを行うことで、物事が明確になり問題が解決することが出来ると考える。詳しく説明を行うと、漫画を描いたときに発生するキャラクターの使用権、その漫画の各ページの肖像権などである。これらの権利の所在を、明確にしておくことにより様々なトラブルを回避可能になる。【選択図】なし【特許請求の範囲】
【請求項１】
本案の目的は、携帯電話のパケット通信を利用して、４コマ漫画をいつでも、何処でも見られることを目的に、考え出したものである。
本案概要
ａ．トップページにおいて、まず登録作業を行ってもらう。ＩＤとＰａｓｓを個人個人に割り振る作業を行う必要がある。これは、その作家の作品閲覧の権利を購入した際に二重課金などを防止する目的でもうけることが必要。
ｂ．登録作業が完了した時点で、作家選択のページに飛べるように設定し、その中で、作家を選んでもらう事となる。コンテンツメニュー覧の作家一覧から、作家の名前を選択することで、その作家のサンプル作品を無料で閲覧することができる。そのサンプルを気に入ってもらった段階で、購入手続きをし、作品の閲覧に入ってもらう。
ｃ．作品は画面スクロールおよび、画面表示切り替えによりおこなうものとする。
ｄ．購入に際しては、ログインする際にすでにＩＤ・Ｐａｓｓが認証されているので購入済み、未購入の判別はつくようになっている。
ｅ．退会については、退会処理を行うことで、個人に割り振られたＩＤとＰａｓｓを削除することで成立するものとする。
登録について
ａ．登録は、トップページから行うものとする。登録を行った段階で、登録者に対して返信メールを送信し、確認を取った上で実際にサイトのサービスを利用可能な状態にする。
ｂ．登録する際に注意事項（利用規約とその著作権に関する同意）を記載し、登録者がすべてを了承した上で行うものとする。
作品のスタイルについて
ａ．作品のスタイルは、２タイプの案がある。これはその状況に応じて使い分けていく必要あり。タイプ１・・・作品全体を画面に表示。それをスクロールさせることで作品を読む。タイプ２・・・１コマずつ画面に表示させ、ページをめくることにより次のコマへと読みすすんでいく。
サンプル閲覧について
ａ．サンプル閲覧に際しては、各作家１作品の無料作品を掲載する。それにより閲覧者は自分の望む作品。求めている作品を見つけ出すことができる。
ｂ．ただし、サンプル作品に関してはデータフォルダにダウンロードすることは禁止する。これは著作権を守ることが主題。
作品課金について
ａ．課金は、基本的に１作品につき課金を行うことにする。
ｂ．１度課金が行われることにより、何時でも何度でもその作品を閲覧することが可能。また、自分のデータフォルダにダウンロードが可能な仕様にする。
ｃ．課金のシステムは携帯用ＪＡＶＡを使用して、プログラムをくみ上げる。
ＰＡＳＳ＆ＩＤシステムについて
ａ．パスワードとＩＤを使用することにより閲覧者の管理をする。これにより運営が容易になり、より良いサービスを提供することが可能である。
ｂ．ＰＡＳＳ＆ＩＤにおいても携帯用ＪＡＶＡを使用し、プログラムをくみ上げる。
単行本作成について
ａ．この案件における単行本の作成は、このシステムを使用しての顧客獲得からスタートすることにより、基本的には当方に存在するものとする。
作品の著作権について
ａ．著作権は作者に寄与している。当方が主張する著作権に関しては、この案に関するものと、システムの案に関するものだけである。
【発明の詳細な説明】
【技術分野】携帯用スクリプトを使用した画像配信販売
【０００１】
【発明の開示】
【発明が解決しようとする課題】
【０００２】携帯電話の普及により、多くのものが配信可能になったことで、エンターテイメントとしての４コマ漫画配信を行っていく。
【発明の解決するための手段】
【０００３】携帯電話のウェブを活用し、不特定多数の人間に対して任意の画像配信を行う。
【発明の効果】
【０００４】携帯電話の進化により、エンターテイメントの面での利用が増えており、この発明によりさらに人々の生活に心の潤いをもたらすものである。
【発明を実施するための最良の形態】
【０００５】携帯電話上での画像配信
【実施例】
【０００６】・  利用者が携帯電話４コマ漫画サイトを開く。サンプル漫画を読み気に入った作家の作品をチョイスし、それを閲覧する。
【産業上の利用可能性】
【０００７】漫画という今や世界に広がったエンターテイメントメディアは、適正な価格で漫画家の作品を商品として販売することが可能であると考える。それを根底に置くことにより、産業としての可能性はかなり高いものとなる。また普及率に関しても、携帯電話という特性上おおきなものになると見込まれる。
(57)【要約】【課題】証券会社で株式や債券・投資信託等の金融商品を資産運用するにあたり、夫婦で一緒に同じ口座で資産運用したいというニーズがあった。また、子供を含めた家族も一緒に資産運用したいとのニーズがあった。【解決手段】夫婦同一口座を利用することで、夫婦で株式・債券・投資信託等を売買して一緒に資産運用がきるようになり、将来も安心して資産形成が継続できることになる。また、家族同一口座を利用することで子供の将来を考えて家族として資産運用できるようになる。本発明を取入れる事で顧客は幅広い口座開設方法を選択できる恩恵を受けることができるようになり、それにより株式取引参加者が増え、市場の活性化、拡大に発展できる。【選択図】図１
2005157997.tif 000002
【特許請求の範囲】
【請求項１】
この発明は、証券会社の口座に夫婦同一口座を設け、同じ口座内で夫婦の資産を運用する、今まで実行されていない新しい発明である。
【請求項２】
同じく、証券会社の口座に家族同一口座を設け、同じ口座内で家族の資産を運用する、今までに実行されていない新しい発明である。
【発明の詳細な説明】
【技術分野】
【０００１】  本発明は、証券会社において夫婦同一口座・家族同一口座という新しい口座開設の発明で、株式や債券・投資信託等の金融商品を夫婦同一口座内で資産運用し、また、同金融商品を家族同一で資産運用するという新しい発明である。
【背景技術】
【０００２】  証券会社で株式や債券・投資信託等の金融商品を資産運用するにあたり、夫婦で一緒に同じ口座で資産運用したいというニーズがあった。また、子供を含めた家族も一緒に資産運用したいとのニーズがあった。
【発明の開示】
【発明が解決しようとする課題】
【０００３】  今までは証券会社で株式や債券・投資信託等の金融商品を売買して資産運用するためには、個人口座や法人口座で口座開設する方法と投資クラブでの口座開設の方法しかなかった。したがって、夫婦で一緒に資産運用したいニーズや子供を含めた家族で一緒に資産運用したいニーズにはこたえることが出来なかった。
【課題を解決するための手段】
【０００４】  証券会社で、個人が株式・債券・投資信託等の金融商品を売買して資産運用する場合に、夫婦同一口座と家族口座を新たに設定する。
【発明の効果】
【０００５】  本発明により、今まではできなかった、夫婦が株式・債券・投資信託等の金融商品を同一口座で売買して資産管理も一緒にできるようになる効果と、子供の将来を考えて親が家族同一口座内で株式・債券・投資信託等の金融商品を運用して、家族として資産を形成できる新しいが効果が期待できる。
【発明を実施するための最良の形態】
【０００６】  本発明の実地状態について、夫婦同一口座にて証券会社を通して株式を売買取引する例として、以下に画面を用いて説明する。
【産業上の利用可能性】
【０００７】  夫婦同一口座を利用することで、夫婦で株式・債券・投資信託等を売買して一緒に資産運用がきるようになり、将来も安心して資産形成が継続できるのでその利用の可能性は大である。また、家族同一口座を利用することで子供の将来を考えて資産運用できるので利用の可能性は大である。本発明を取入れる事で顧客は幅広い口座開設方法を選択できる恩恵を受けることができるようになり、それにより株式取引参加者が増え、市場の活性化、拡大に発展できる。
【図面の簡単な説明】
【０００８】
【図１】本発明に係る証券会社が，顧客からの新しい取引方法の注文を受ける。
【符号の説明】
【０００９】  １  証券会社
２  夫婦口座
３  家族口座
４  株式の注文と資産運用
５  債券の注文と資産運用
６  投資信託の注文と資産運用
【図１】
2005157997.tif 000003
(57)【要約】【課題】従来の業務日誌は日々の業務内容の羅列である。本申請の業務日誌は昨日、今日そして明日と、業務の内容を手軽に一目瞭然に記載する事が出来、精査し仕事の発展に寄与し易くしたものである。【特許請求の範囲】
【請求項１】
コンピューターのＷＥＢ画面上に表示する業務日誌であるが、この日誌は中央部分に４個の大きい四角のセルを配置し、それを左からＡ、Ｂ、Ｃ、Ｄとし、一日の仕事の終了時に、まず、Ｃに今日の仕事の実績を入力する。
次にＤに明日の仕事の予定を入力する。そして「確定保存」Ｅのボタンをクリックすると、コンピューターのプログラムのシステムにより、Ｃの今日の仕事の実績と、Ｄの明日の予定の内容が、自動的にＡ、Ｂに移動し、Ａでは、Ｃで今日の実績として表示されていた内容が昨日の実績としてＡに表示される。
同じく、Ｂでは、Ｄで明日の予定として表示されていた内容が今日の予定としてＢに自動的に簡単にスピーディに表示される。  Ｃ、ＤのデーターがＡ、Ｂに移動したあとのＣ、Ｄのセルは空白となる。
以後順次、仕事の終了時にＣ、Ｄに、それぞれ今日の実績、明日の予定を入力してゆけば、この業務日誌には常に、昨日、今日、明日の業務の流れ、実情が一目瞭然に表現される業務日誌である。
【請求項２】
上記ＡＢＣＤの４個のセルに隣接してカレンダーを配置した業務日誌。
【請求項３】
業務終了時に入力した内容を「確定保存」Ｅをクリックしたら請求項２のカレンダーＦに自動的にその日の箇所に印が表示されるように工夫された業務日誌。
【発明の詳細な説明】
【技術分野】
【０００１】  本発明は一目瞭然の業務日誌を簡単に作成するコンピューターシステムである。
【背景技術】
【０００２】  従来の業務日誌は日常の業務のただ単に業務の羅列であった。それでは業務の流れ、動向がわかり難い。
【発明が解決しようとする課題】
【０００３】  申請したこの業務日誌はＷＥＢ画面上に表示された業務日誌のその中央部分にＡＢＣＤと４個のセルを配置した。
【０００４】  上記４個のセルに隣接してカレンダーを配置した。
【発明が解決しようとする課題】
【０００５】  従来の業務日誌は業務の流れが分かりづらい。
【課題を解決するための手段】
【０００６】  ＷＥＢ画面上のＣその日の実績を入力して、Ｄに明日の予定を入力して、確定保存ボタンＥをクリックすると自動的に瞬時に、Ｃ、ＤのデータがＣの内容はＡ、に昨日の実績として、Ｄの内容はＢに今日の予定として表示される。
【０００７】  確定保存Ｅのボタンをクリックすると隣接して表示されているカレンダーＦに、その日の箇所に印が自動的に表示される。
【図面の簡単な説明】
【０００８】
【図１】本発明がＷＥＢ上に表示された図面を紙に印刷した平面図。紙印刷であるので背面図は無模様である。
【符号の説明】
【０００９】  Ａ  昨日の結果（Ａ）
Ｂ  今日の予定（Ｂ）
Ｃ  今日の結果（Ｃ）
Ｄ  明日の予定（Ｄ）
Ｅ  確定保存
Ｆ  カレンダー
【図１】
2005157994.tif 000002
(57)【要約】【課題】  ノートパソコンを使用する際、疲れて横になりたくなっても、寝転んだ状態で何時でも何処でも、使用者の体の上方にノートパソコンを安定した状態で支持出来るようなノートパソコン用のスタンドが無かった【解決手段】  使用者の体の上方を跨ぐように、アングルを鳥居型に組み立て、そのアングルによりノートパソコンを固定して、使用者が寝転んだ状態で使用できるようにすることにより課題を解決しようとするものである。【選択図】  図１
2005157993.tif 000002
【特許請求の範囲】
【請求項１】
本発明は、使用者の体の上方を跨ぐように、アングルを鳥居型に組み立て、ノートパソコンのキーボード部分にあたる本体を垂直に立てた状態で固定できるようにし、アングルには稼動性を持たせ、パソコンの大きさに合わせた固定が出来、使用者に合わせた高さ調節を可能とする。ノートパソコンの液晶画面は自由な角度に動かせる状態であるから、下方の使用者の顔に向き合う状態にすることにより、使用者が寝転んだ状態で、何処でも、快適で、容易にノートパソコンの使用が可能になり、又安価で作れるノートパソコン用スタンド。
【発明の詳細な説明】
【技術分野】
【０００１】  本発明は、仰向けに寝転んだ状態で、ノートパソコンを使用可能にするためのスタンドに関する考案である。
【背景技術】
【０００２】  従来のノートパソコン用スタンドとしては、使用者が椅子等に腰掛けて使用することを前提としたものは有った、又  実用新案出願２００１−７８０３の様な、寝転んで使用することを前提とする物も有ったが、それらは、机上又はテーブル上に設置することを前提としているため、ノートパソコン本体をスタンドだけで使用者の体の上方に容易に支持出来るものではなく、何処でも何時でも、スタンドだけでノートパソコンを支持でき、使用者が寝転んで使用できるノートパソコン用スタンドはなかった。
【発明の開示】
【発明が解決しようとする課題】
【０００３】  ノートパソコンを使用する際、疲れて横になりたくなっても、寝転べるスペースと、スタンドだけ有れば、何処でも使用者が寝転んだ状態で、より快適で容易に、ノートパソコンを使用者の顔の上方に支持出来、安定した状態で使用出来るノートパソコン用のスタンドが無かった。
【課題を解決するための手段】
【０００４】  本発明はＬ型アングルを支持金具として鳥居型に組み立て、ノートパソコンのキーボード部分にあたる本体を垂直に立てた状態で固定し、使用者の体の上方を跨ぐようにする。アングルにパソコンを固定する為の金具と、ネジ止め出来る穴を開け、パソコンの大きさに合わせた固定が出来、使用者に合わせた高さ調節が可能になる様、金具とネジは可動式とする。液晶画面は自由な角度に動かせる状態であるので、下方の使用者の顔に向き合う状態にすることによって課題を解決しようとするものである。
【発明の効果】
【０００５】  パソコンを座った姿勢で長時間使用したりすると、疲れて横になりたくなったり、背筋を伸ばしたくなったりするが、このスタンドさえあれば、どこでも寝転んだ状態で使用することが出来るようになる。又このスタンドは持ち運びやすくキーボードの高さや画面の角度の調節もしやすいので、座った状態でパソコン操作をするのと変わらぬ操作性が提供できる。又このスタンドは、安価で製作することが可能である。
【発明を実施するための最良の形態】
【０００６】  図１の▲２▼Ｌ型アングルを支持金具として鳥居型に組み立て、ノートパソコンを図２の状態に固定する。その際、図１の▲５▼固定用金具によりノートパソコンの操作に支障の無い部分を支持できる様▲５▼固定用金具の位置は可動出来る様▲３▼ネジ留め穴部はアングルにいくつも開いている。キーボード部分にあたる本体▲１▼を垂直に立てた状態で固定し、使用者の体の上方を跨ぐようにした状態が図３である。液晶画面は自由な角度に動かせる状態になるようノートパソコン本体キーボード部分をスタンドに固定させる。図４の様にスタンド下部の使用者の体と腕の位置が適当な位置になる様、鳥居型に組んだアングルの高さを▲３▼ネジ留め用穴部により調節する。アングルが倒れないよう▲６▼足部を取り付ける。ノートパソコンの画面部が、下方の使用者の顔に向き合う状態にすることによって使用者が寝転んだ状態でも快適にノートパソコンを使用できる。
【実施例】
【０００７】  図３図４は、このノートパソコン用スタンドを使用して、寝転んでノートパソコンを使用している状態であるが、卓上座位で使用しているのと、まったく変わらない使用環境が提供される。
【産業上の利用可能性】
【０００８】  本発明は、容易に製造可能であり、比較的安価でできる。
【図面の簡単な説明】
【図１】  本スタンドにノートパソコンをセットする際の斜視図である。
【図２】  本スタンドにノートパソコンをセットした状態の斜視図である。
【図３】  使用者が寝転んで使用している状態の側面図である。
【図４】  使用者が寝転んで使用している状態の正面図である。
【符号の説明】
１  ノートパソコン
２  Ｌ型アングル
３  ネジ留め用穴部
４  ネジ部
５  固定用金具
６  足部
【図１】
2005157993.tif 000003
【図２】
2005157993.tif 000004
【図３】
2005157993.tif 000005
【図４】
2005157993.tif 000006
(57)【要約】【課題】従来の非接触型アイシーカード等の、紛失・盗難・不正使用等危険を防止する。【解決手段】非接触型アイシーチップユニットを、手首等装着用リングに内蔵することにより、常時、所持可能となるため、上記危険を防止できる。【選択図】    図１
2005157998.tif 000002
【特許請求の範囲】
【請求項１】
非接触型アイシーチップユニット内蔵の、手首等装着用リング。
【請求項２】
非接触型アイシーチップユニット内蔵の、手首等装着用リングと、リーダー／ライター・コンピューターとの組み合わせで構築される、全てのシステム及び運用ソフト。
【発明の詳細な説明】
【技術分野】
【０００１】本発明は、非接触型アイシーチップユニットの収納体に関する。
【背景技術】
【０００２】従来の非接触型アイシーチップユニットは、主にカードに収納して使用されていた。
【発明の開示】
【発明が解決しようとする課題】
【０００３】上記した従来の非接触型アイシーカードは問題点として、紛失・持ち忘れ・置忘れ・盗難・摩り・強奪・置き引きや、偽造・変造・なりすまし等の不正使用の危険性が指摘されていた。【０００４】本発明は、このような従来の非接触型アイシーカードが有していた問題点を解決しようとするものであり、その収納体に着目して、より安全性の高い手段を実現することを目的とするものである。
【課題を解決するための手段】
【０００５】そこで、本発明は上記目的を達成するために非接触型アイシーチップユニットを手首等装着用リングに内蔵し、常時、所持可能とした。
【発明の効果】
【０００６】上記により、リングを常時装着目視しているので、課題で示した各種のリスクが殆んどなくなる上、カードのように収納場所を必要としない。また、プール、スパ、サウナ等でも利用できる。
【発明を実施するための最良の形態】
【０００７】以下、本発明の実施のを図１〜図３に基づいて説明する。【０００８】図１は、手首等装着用リングの内部にシーピーユー１、ラム２、ロム３、イーイーピーロム４、アンテナ５、を含むワンセットの非接触型アイシーチップユニットが内蔵された状態を示しており、留め具６を使用して手首等に装着する。【０００９】図２は、内部にシーピーユー１、ラム２、ロム３、イーイーピーロム４、アンテナ５、を含むワンセットの非接触型アイシーチップユニットを内蔵したパーツ７で、図３のように複数個を連結してリングを形成し、留め具６を使用して手首等に装着する。
【実施例】
【００１０】図１に示される非接触型アイシーリングは各種施設に於いて、その施設利用期間中のみ装着し、入退出管理、各種サービス利用、買い物・飲食等料金の精算、ドア・ロッカー等の開閉等に使用される一時的使用タイプである。【００１１】図３に示される非接触型アイシーリングは常時使用タイプで、各自の使用形態にあわせ、図２の用途別パーツを連結して使用する。すなわち、個人認証、入退出、鍵開閉、銀行取引、電子マネー、クレジット、会員証、通行証、免許証、ポイント等個個の機能を持つパーツ７を必要に応じて連結、常時装着してその用に供する。【００１２】また、常時使用の別タイプとして、非接触型アイシーチップユニットを複数個内蔵一体化させたリングも含む。そして、この明細書に記されたリングは各種リング類・バンド類・ベルト類を含む。
【図面の簡単な説明】
【００１３】
【図１】    単体の非接触型アイシーリングの正面図
【図２】    連結型非接触型アイシーリングパーツの正面図
【図３】    連結された非接触型アイシーリングの正面図
【符号の説明】
【００１４】    １    シーピーユー
２    ラム
３    ロム
４    イーイーピーロム
５    アンテナ
６    留め具
７    非接触型アイシーリング用パーツ
【図１】
2005157998.tif 000003
【図２】
2005157998.tif 000004
【図３】
2005157998.tif 000005
(57)【要約】【課題】  緊急車両が来ていることを、サイレンとか回転灯で知らせるだけでは、渋滞している時、走行中の自動車の運転手が緊急車両に気づいても、道路脇に寄せることが出来なくて、緊急車両の通過に時間がかかり、手遅れになる場合がある。【解決手段】  緊急車両に発信機を取り付けることにより、進行方向に設置されている受信機が感知し、前方にある警告灯を点灯させ、走行中の自動車の運転手に知らせ、あらかじめ道路脇に寄せて、緊急車両の進路を確保させる。【選択図】  図１
2005135365.tif 000002
【特許請求の範囲】
【請求項１】
緊急車両に発信機を取り付け、進行方向に設置されている受信機が、緊急車両が来ていることを感知すると、警告灯が点灯し、走行中の自動車の運転手に後方から緊急車両が来ていることを知らせるシステム。
【発明の詳細な説明】
【発明の詳細な説明】
【技術分野】
【０００１】  本発明は、緊急車両に発信機を取り付け、進行方向に設置されている受信機が、緊急車両が来ていることを感知すると、警告灯が点灯し、走行中の自動車の運転手に後方から緊急車両が来ていることを知らせるシステムで、あらかじめ運転手が自動車を道路脇に寄せておくことが可能となり、緊急車両の進路が確保される。
【背景技術】
【０００２】  従来は、緊急車両に取り付けられたサイレンと回転灯で、走行中の自動車の運転手に後方から来ていることを知らせる。
【発明が解決しようとする課題】
【０００３】  従来のサイレンと回転灯で、走行中の自動車の運転手に後方から来ていることを知らせるだけでは、渋滞している時、緊急車両に気づいても道路脇に寄せることが出来なくて、緊急車両の通過に時間がかかり、手遅れになる場合がある。
【課題を解決するための手段】
【０００４】  本発明は、緊急車両に発信機を取り付けることにより、進行方向に設置されている受信機が、緊急車両が来ていることを感知し、走行中の自動車の前方にある警告灯を点灯させるため、サイレンや回転灯より早く運転手に知らせる事が可能になる。渋滞の時は、信号待ちをしている先頭の自動車から、あらかじめ道路脇に寄せることも可能になるため、緊急車両の進路が確保される。
【実施例】
【０００５】  図面を参照して説明する。
図１において、救急車１が交差点に進む時、救急車１に取り付けられた発信機２からの信号を受信機３が受け、警告灯４を点灯させ、停車中の自動車の運転手に救急車１が来ていることを知らせる。警告灯４は、信号機５の横など、運転手の目に着くところに設置する。
【発明の効果】
【０００６】  渋滞している場合でも、先頭の自動車から道路脇に寄せることで、救急車１の進路が確保される。
【図面の簡単な説明】
【図１】本発明のシステムを示す説明図である。
【符号の説明】
１    救急車
２    発信機
３    受信機
４    警告灯
５    信号機
【図１】
2005135365.tif 000003
(57)【要約】      （修正有）【課題】商取引で発生した、物品またはサービスの授受に伴う会計処理で勘定科目を使っての仕訳がまったく解らない人、又仕訳のやり方が解っていても勘定科目を何にするか思い出せなかったり迷ったりすることが多々発生する。このような事を解決するためにコンピュータを用いて、現金、預金の入出金に伴う物品及びサービスの種類、あるいは取引の内容がわかれば、仕訳が出来て勘定科目も決定できるようにする。【解決手段】コンピュータを使用して取引を仕訳する時、その取引の内容に勘定科目を対応させたテーブルをあらかじめ準備しておき仕訳をする際に取引の内容で、そのテーブルの該当部分を選択することにより勘定科目を確定させる。【選択図】図１
2005135362.tif 000002
【特許請求の範囲】
【請求項１】
コンピュータを用い青色申告書を作成する基となる会計処理の中で、個々の取引を、勘定科目を使って仕訳処理をする時、現金、預金の入出金に伴う取引の相手勘定科目を自動的に設定する手段として機能させるプログラム。
【請求項２】
入金の原因となった過去の取引、あるいは当該事業で発生すると考えられる取引のすべてに勘定科目を割り当てたマスターテーブルと、出金の原因となった過去の取引、あるいは当該事業で発生すると考えられる取引のすべてに勘定科目を割り当てたマスターテーブルとを、それぞれ一個ずつ作成しておく。
【発明の詳細な説明】
【発明の詳細な説明】
【技術分野】  コンピュータシステムの設計とプログラム。
【背景技術】従来のプログラムは簿記の知識のない人は仕訳入力が困難であった。多少知識があっても、個人の記憶に頼る部分が多いため同じ原因の取引の発生に対して入力の都度、勘定科目が異なることが多々発生する等の欠点があった。
【発明が解決しようとする課題】
簿記の知識がなくても現金の入金、出金  銀行などの口座への預入、引出が理解でき、何の入金なのか、何の出金なのか、その原因が解れば、マスターテーブル作成時のみ簿記の知識を有する人の手助けを得れば、プログラムを用いての仕訳入力が簡単に出来るようにする。
【課題を解決するための手段】
コンピュータを使用して、操作手順にしたがって入力を行って行くなかで、現金、預金の入出金の相手勘定科目を設定するのに、あらかじめ作成しておいたマスターテーブルの摘要を選択することによりその勘定科目が設定出来るようにするため図１の流れ図に示すような仕組みのプログラムにする。
【発明を実施するための最良の形態】仕訳入力の一例として現金の入金、出金に対する、具体的な手順を示すと図２のようになる。
【発明の効果】
今まで簿記が解らなくて、青色申告が出来ないでいた人でも簡単な操作で仕訳入力が出来、入力が済めば損益計算書、貸借対照表を自動的に作成する事が出来るのでそれを基に青色申告書を作成することができる。
又当システムは、使えば使うほどテーブルが充実し（テーブルに追加、修正を加えることが出来るため）しかもそのテーブル使用事業者固有のテーブルなのでテーブルの摘要項目を使用して、独自の分類集計等も行うことが出来る。
【図面の簡単な説明】
【図１】この発明の一実施形態を示す処理全体の流れ図（フローチャート）である。
【図２】実施形態の具体的な手順の一例を示した手順図である。
【図１】
2005135362.tif 000003
【図２】
2005135362.tif 000004
2005135362.tif 000005
【手続補正書】
【提出日】平成16年1月23日(2004.1.23)
【手続補正２】
【補正対象書類名】明細書
【補正対象項目名】全文
【補正方法】変更
【補正の内容】
【発明の詳細な説明】
【技術分野】
【０００１】  コンピュータシステムの設計とプログラム。
【背景技術】
【０００２】  従来のプログラムは簿記の知識のない人は仕訳入力が困難であった。多少知識があっても、個人の記憶に頼る部分が多いため同じ原因の取引の発生に対して入力の都度、勘定科目が異なることが多々発生する等の欠点があった。
【発明の開示】
【発明解決しようとする課題】
【０００３】  簿記の知識がなくても現金の入金、出金  銀行などの口座への預入、引出が理解でき、何の入金なのか、何の出金なのか、その原因が解れば、マスターテーブル作成時のみ簿記の知識を有する人の手助けを得れば、プログラムを用いての仕訳入力が簡単に出来るようにする。
【課題を解決するための手段】
【０００４】  コンピュータを使用して、操作手順にしたがって入力を行って行くなかで、現金、預金入出金の相手勘定科目を設定するのに、あらかじめ作成しておいたマスターテーブルの摘要を選択することにより、その勘定科目が設定出来るようにするため図１の流れ図に示すような仕組みのプログラムにする。
【発明を実施するための最良の形態】
【０００５】  仕訳入力の一例として現金の入金、出金に対する、具体的な手順を示すと図２のようになる。
【発明の効果】
【０００６】  今まで簿記が解らなくて、青色申告が出来ないでいた人でも簡単な操作で仕訳入力出来、入力が済めば損益計算書、貸借対照表を自動的に作成する事が出来るのでそれを基に青色申告書を作成することができる。
又当システムは、使えば使うほどテーブルが充実し（テーブルに追加、修正を加えることが出来るため）しかもそのテーブル使用事業者固有のテーブルなのでテーブルの摘要項目を使用して、独自の分類集計等も行うことが出来る。
【図面の簡単な説明】
【０００７】
【図１】この発明の一実施形態を示す処理全体の流れ図（フローチャート）である。
【図２】実施形態の具体的な手順の一例を示した手順図である。
【図３】取引の内容ごとに勘定科目を割り当てて作成するマスターテーブルの一例。テーブルは  コード、勘定科目名、摘要、摘要カナ  で構成される。
【手続補正３】
【補正対象書類名】図面
【補正対象項目名】全図
【補正方法】変更
【補正の内容】
【図１】
2005135362.tif 000006
【図２】
2005135362.tif 000007
【図３】
2005135362.tif 000008